(57)【要約】【課題】  乾燥性能を向上させ、原価及び作動騷音を低減し得るドラム型洗濯及び乾燥装置を提供しようとする。【解決手段】  内部に洗濯水が収容されるタブ１５、及び該タブ１５の内側に回転自在に配設される第１ドラム１７を包含する洗濯ユニット１１と、該洗濯ユニット１１と隣接した位置に回転自在に配設される第２ドラム３５を包含する乾燥ユニット３１と、一方端は前記タブ１５に連結され、他方端は前記第２ドラム３５に連結された第１連通管４１と、該第１連通管４１に配設されて前記タブ１５内の空気を前記第２ドラム３５側に流入させる送風ファン４５と、前記第１連通管４１を通過する空気を加熱させるヒータ４９と、一方端は前記第２ドラム３５に連結され、他方端はタブ１５に連結されることで、前記第２ドラム３５内の空気が前記タブ１５側に流入される第２連通管５１と、を包含して構成する。【選択図】      図１
2005124799.tif 000002
【特許請求の範囲】
【請求項１】
内部に洗濯水が収容されるタブ、及び該タブの内側に回転自在に第１ドラムが配設された洗濯ユニットと、
該洗濯ユニットと隣接した位置に回転自在に第２ドラムが配設された乾燥ユニットと、
一方端は前記洗濯ユニットのタブに連結され、他方端は前記乾燥ユニットの第２ドラムに連結された第１連通管と、
該第１連通管に配設されて前記タブ内の空気を前記第２ドラム側に流入させる送風ファンと、
前記第１連通管を通過する空気を加熱させる加熱手段と、
一方端は前記乾燥ユニットの第２ドラムに連結され、他方端は前記洗濯ユニットのタブに連結されることで、前記第２ドラム内の空気が前記タブ側に流入される第２連通管と、
を包含して構成されることを特徴とするドラム型洗濯及び乾燥装置。
【請求項２】
前記第２ドラムの乾燥動作時に、前記第１ドラムが洗濯水と接触されるように、前記洗濯ユニットに装着された給水弁及び配水ポンプを制御する制御ユニットを更に包含することを特徴とする請求項１記載のドラム型洗濯及び乾燥装置。
【請求項３】
前記タブ内の水位を感知する水位感知手段を更に包含し、前記制御ユニットは、前記水位感知手段によって、前記給水弁及び配水ポンプを制御することを特徴とする請求項２記載のドラム型洗濯及び乾燥装置。
【請求項４】
前記洗濯ユニット及び乾燥ユニットは、一つのケーシングの内部にそれぞれ配設されることを特徴とする請求項１記載のドラム型洗濯及び乾燥装置。
【請求項５】
前記洗濯ユニット及び乾燥ユニットは、二つのケーシングにそれぞれ分離して配設されることを特徴とする請求項１記載のドラム型洗濯及び乾燥装置。
【請求項６】
前記第１連通管及び第２連通管中少なくとも一つは、軟質の材質からなることを特徴とする請求項１記載のドラム型洗濯及び乾燥装置。
【請求項７】
前記第１連通管には、洗濯及び乾燥動作時に、前記第１連通管を開閉させる空気流動弁が装着されることを特徴とする請求項１記載のドラム型洗濯及び乾燥装置。
【請求項８】
前記第１連通管は、前記タブの上側に装着され、前記第２連通管は、前記タブの下側に装着されることを特徴とする請求項１記載のドラム型洗濯及び乾燥装置。
【請求項９】
前記第２連通管には、洗濯及び乾燥動作時に、前記第２連通管を開閉させる空気流動弁が装着されることを特徴とする請求項１記載のドラム型洗濯及び乾燥装置。
【発明の詳細な説明】
【技術分野】
【０００１】
本発明は、ドラム型洗濯及び乾燥装置に係るもので、詳しくは、乾燥性能を向上させることで、製作費用及び作動騷音を低減し得るドラム型洗濯及び乾燥装置に関するものである。
【背景技術】
【０００２】
最近、洗濯物の洗濯及び乾燥時間を短縮するため、洗濯機と共に乾燥機の使用が益々増加している。
即ち、洗濯機は、電動機を主動力源として、洗濯槽の内部に、洗濯物、洗剤及び水を一緒に収容して、それら洗濯物、洗剤及び水が相互作用するように、洗濯、すすぎ及び脱水過程を進行することで、洗濯物に付いている汚染を除去する装置であり、乾燥機は、洗濯物が収容された乾燥桶の内部に熱風を流入させることで、洗濯された衣類などに包含された湿気を除去する装置である。
【０００３】
図９は、従来の洗濯機及び乾燥機を示した斜視図で、従来の洗濯機１１１及び乾燥機１３１は、洗濯及び乾燥を容易にし得るように、相互隣接した位置に並んで配置されている。
且つ、前記洗濯機１１１は、図１０に示したように、内部に収容空間を形成し、その前面に洗濯物が装入/取出される出入口を開閉するためのドア１１５が配設されるケーシング１１３と、該ケーシング１１３の内部に配置され、内部に洗濯水が収容されるタブ１１７と、該タブ１１７の内部に回転軸１１２を水平に配置して配設された洗濯ドラム１２３と、前記タブ１１７の後方領域に前記洗濯ドラム１２３の回転軸１１２と連結され、前記洗濯ドラム１２３を駆動させるドラム駆動モータ１２５と、を包含して構成されている。
【０００４】
また、前記洗濯機１１１は、前記タブ１１７の上側及び下側にそれぞれ配設され、該タブ１１７を緩衝支持するバネ部材１１９及びダンパー１２１と、前記タブ１１７の下部一方側に装着され、脱水時に前記タブ１１７内の洗濯水を排出させる排水管１２０及び排水ポンプ１２２と、をそれぞれ装着して構成されている。
【０００５】
一方、前記乾燥機１３１は、図１１に示したように、前面に乾燥すべき衣類などが装入/取出される出入口を開閉するドア１３４が配設されたケーシング１３３と、該ケーシング１３３の内部に回転自在に配設された乾燥ドラム１３５と、該乾燥ドラム１３５の後方側に一方端が連結され、他方端は該乾燥ドラム１３５の前方側に連結された空気流動管１３７と、該空気流動管１３７の途中に配置され、前記乾燥ドラム１３５の前方側の空気を後方側に循環させる送風ファン１３９と、それら乾燥ドラム１３５及び送風ファン１３９を駆動する駆動モータ１４１と、前記乾燥ドラム１３５の後方側に配設され、前記空気流動管１３７を通して流動する空気を、前記乾燥ドラム１３５内に流入される前に加熱させる加熱手段としてのヒータ１４３と、前記空気流動管１３７に配設され、洗濯物の湿気を含有した空気を凝縮させる凝縮器１４５と、該凝縮器１４５を冷却させる冷却ファン１４７と、を包含して構成されている。
【０００６】
このように構成された従来の乾燥機１３１においては、前記洗濯機１１１により洗濯及び脱水が終了された洗濯物が、前記乾燥機１３１の乾燥ドラム１３５の内部に収容され、前記駆動モータ１４１に電源が印加されると、前記乾燥ドラム１３５及び送風ファン１３９が駆動を開始するようになる。次いで、前記乾燥ドラム１３５の内部の空気が、前記送風ファン１３９により、前記空気流動管１３７を通して前記乾燥ドラム１３５の後方側に流動され、該乾燥ドラム１３５への流入前に前記ヒータ１４３により加熱される。
【０００７】
このように加熱された高温の空気は、前記乾燥ドラム１３５の内部で衣類などから蒸発された水分を含有し、再び前記空気流動管１３７に吸入され、高温の空気と一緒に吸入される空気中の水分は、前記凝縮器１４５を経由しながら凝縮されて排出され、水分が除去された乾燥した空気が、前記空気流動管１３７を通して流動することで、前記ヒータ１４３により加熱された後、前記乾燥ドラム１３５の内部に流入され、このような過程を繰り返すことで、乾燥行程が進行される。
【０００８】
然るに、このような従来の乾燥機１３１においては、乾燥性能が相対的に低いだけでなく、比較的高価な別途の凝縮器１４５及び冷却ファン１４７を装着して構成されるため製作費用が上昇し、凝縮器１４５を冷却するための冷却ファン１４７を駆動するとき、騷音が発生するという不都合な点があった。
【発明の開示】
【発明が解決しようとする課題】
【０００９】
本発明は、このような従来の課題に鑑みてなされたもので、乾燥性能を向上させ、製作費用及び作動騷音を低減し得るドラム型洗濯及び乾燥装置を提供することを目的とする。
【課題を解決するための手段】
【００１０】
このような目的を達成するため、本発明に係るドラム型洗濯及び乾燥装置においては、内部に洗濯水が収容されるタブ、及び該タブの内側に回転自在に第１ドラムが配設された洗濯ユニットと、該洗濯ユニットと隣接した位置に回転自在に第２ドラムが配設された乾燥ユニットと、一方端は前記洗濯ユニットのタブに連結され、他方端は前記乾燥ユニットの第２ドラムに連結された第１連通管と、該第１連通管に配設されて前記タブ内の空気を前記第２ドラム側に流入させる送風ファンと、前記第１連通管を通過する空気を加熱させる加熱手段と、一方端は前記乾燥ユニットの第２ドラムに連結され、他方端は前記洗濯ユニットのタブに連結されることで、前記第２ドラム内の空気が前記タブ側に流入される第２連通管と、を包含して構成されることを特徴とする。
【発明の効果】
【００１１】
以下に説明するように、本発明に係るドラム型洗濯及び乾燥装置の第１及び第２実施形態においては、前記乾燥ユニットで発生される高温多湿の空気が前記洗濯ユニットで凝縮されるように構成されることで、別途の凝縮器及び冷却ファンが不必要であるため、乾燥装置の製作時の原価を節減し得ると共に、不必要な騷音の発生を防止して、乾燥性能を顕著に向上し得るという効果がある。
また、本発明に係るドラム型洗濯及び乾燥装置の第２実施形態においては、一つのケーシング１０の内部に洗濯ユニット２１１及び乾燥ユニット２３１を一体に構成することで、構造を一層簡便にし、原価も節減し得るという効果がある。
【発明を実施するための最良の形態】
【００１２】
以下、本発明の実施の形態に対し、図面に基づいて説明する。
図１に示したように、本発明に係るドラム型洗濯及び乾燥装置の第１実施形態においては、洗濯物を洗濯及び脱水する洗濯ユニット１１と、該洗濯ユニット１１の側方に連結されることで、洗濯された衣類などを乾燥させる乾燥ユニット３１と、それら洗濯ユニット１１及び乾燥ユニット３１を制御する制御ユニット５５(図６参照)と、を包含して構成され、前記洗濯ユニット１１及び乾燥ユニット３１は、前記洗濯ユニット１１内の空気が前記乾燥ユニット３１に流入される第１連通管４１及び前記乾燥ユニット３１内の空気が前記洗濯ユニット１１に流入される第２連通管５１により相互連結されている。
【００１３】
且つ、図２に示したように、前記洗濯ユニット１１は、内部に収容空間が形成され、前面にドア１４が装着された第１ケーシング１３と、該第１ケーシング１３の内部に配設され、その内部に洗濯水を収容するタブ１５と、該タブ１５の内部に回転自在に配設される第１ドラム１７と、該第１ドラム１７を回転させる第１駆動モータ１９と、前記タブ１５の上方及び下方にそれぞれ配設され、該タブ１５を弾性的に支持するバネ２１及びダンパー２３と、前記タブ１５の下方にそれぞれ配設されて洗濯水を排出させる排水管２５及び排水ポンプ２７と、から構成されている。ここで、前記第１連通管４１は、前記タブ１５の下方で該タブ１５の内部と連結され、前記第２連通管５１は、前記タブ１５の上方で該タブ１５の開口部１８と連結される。
【００１４】
また、図３に示したように、前記乾燥ユニット３１は、内部に収容空間が形成され、前面にドア３４が配設される第２ケーシング３３と、該第２ケーシング３３の内部に回転自在に配設される第２ドラム３５と、該第２ドラム３５を回転させる第２駆動モータ４７と、から構成されている。また、前記乾燥ユニット３１は、前記第２ドラム３５に連結された第１連通管４１の途中に配設されることで、前記洗濯ユニット１１のタブ１５の内部の空気を前記乾燥ユニット３１の第２ドラム３５に流入させる送風ファン４５と、該送風ファン４５を通過した空気を加熱させるヒータ４９と、から構成されている。ここで、前記送風ファン４５及び前記第２ドラム３５は、単一のモータにより回転されるように構成することができる。
【００１５】
また、図４及び図５に示したように、前記第１連通管４１には、洗濯動作時に前記洗濯ユニット１１のタブ１５内の洗濯水が前記送風ファン４５及びヒータ４９に流入されることを防止するため、前記第１連通管４１を遮断する空気流動弁４３が装着され、前記第２連通管５１は、前記乾燥ユニット３１の第２ドラム３５の上側で該第２ドラムの開口部３８に連結される。
一方、前記第１連通管４１及び第２連通管５１は、前記洗濯ユニット１１及び乾燥ユニット３１の駆動時に振動が相互伝達されることを防止し得るように、ゴム部材または軟質の材質から形成することが好ましい。
【００１６】
また、図６に示したように、前記制御ユニット５５は、制御プログラムが内蔵されたマイクロコンピュータから構成され、洗濯及び乾燥動作時、前記第１及び第２駆動モータ１９、４７、前記送風ファン４５、前記ヒータ４９及び前記空気流動弁４３を制御する。且つ、前記タブ１５内の水位を感知する水位感知ユニット５７と電気的に連結され、該水位感知ユニット５７の測定値に基づいて、前記タブ１５内の水量を調節する給水弁２６及び排水ポンプ２７を制御することで、洗濯及び乾燥動作時に前記タブ１５内の水位を調節する。
【００１７】
以下、このように構成された本発明に係るドラム型洗濯及び乾燥装置の第１実施形態の動作に対して説明する。
まず、前記洗濯ユニット１１で洗濯動作が進行される前に、前記制御ユニット５５は、前記第１連通管４１が遮断されるように前記空気流動弁４３を制御し、洗濯動作が終了されて脱水行程が進行されると、前記第１ドラム１７が洗濯水と接触されない状態で回転し得る程度に前記タブ１５の内部に洗濯水が残留されるように、前記水位感知ユニット５７の感知結果に基づいて前記排水ポンプ２７を制御する。
【００１８】
次いで、脱水行程が終了されて脱水された衣類などが前記第２ドラム３５の内部に収容され、乾燥行程が開始されると、前記制御ユニット５５は、前記給水弁２６を開放して、前記第１ドラム１７が洗濯水に若干浸るように洗濯水を追加して供給し、前記第１連通管４１が開放されるように前記空気流動弁４３を制御する。また、前記制御ユニット５５は、前記送風ファン４５、第１及び第２駆動モータ１９、４７、並びに前記ヒータ４９がそれぞれ駆動されるように制御する。
【００１９】
その後、前記送風ファン４５が駆動を開始すると、前記タブ１５から引出される空気は、前記第１連通管４１を通して流動され、前記ヒータ４９により加熱されて、前記第２ドラム３５の内部に流入される。このように流入された高温の空気は、該第２ドラム３５の内部で回転される衣類などから蒸発された水分を含有し、前記第２ドラム３５の外部に排出され、前記第２連通管５１を通して流動することで前記タブ１５の内部に流入される。
【００２０】
このように前記タブ１５の内部に流入された相対的に高温多湿の空気は、水と接触されながら回転する前記第１ドラム１７と接触されることで熱交換され、空気中の水分が凝縮される。次いで、水分が除去された相対的に低温の乾燥した空気は、前記第１連通管４１を通して流動することで前記ヒータ４９により加熱され、該加熱された高温の乾燥した空気は、再び前記第２ドラム３５の内部に流入され、衣類などの水分を蒸発させて高温多湿の状態となって、前記第２連通管５１を通して流動することで前記タブ１５の内部に流入され、このような動作を繰り返すことで、乾燥行程が進行される。
【００２１】
次いで、前記乾燥行程が終了されると、前記制御ユニット５５は、前記排水ポンプ２７を制御して、前記タブ１５の内部の洗濯水が全て排出されるようにし、洗濯動作時に洗濯水が前記第１連通管４１に流入されることを防止するため、前記空気流動弁４３を制御して、前記第１連通管４１が遮断されるようにする。
以下、本発明に係るドラム型洗濯及び乾燥装置の第２実施形態に対して説明するが、前述した第１実施形態と同様な部分に対しては、同符号を付与して説明を省略する。
【００２２】
即ち、図７及び図８に示したように、本発明に係るドラム型洗濯及び乾燥装置の第２実施形態においては、内部に収容空間が形成されたケーシング２１０と、該ケーシング２１０の内部に配設され、内部に洗濯水が収容されるタブ２１５、及び該タブ２１５の内部に配設されることで洗濯物を収容し、回転されながら洗濯動作を行う第１ドラム２１７を包含する洗濯ユニット２１１と、前記ケーシング２１０の内部で前記タブ２１５と隣接して配設され、回転されながら洗濯された洗濯物の乾燥動作を行う第２ドラム２３５を包含する乾燥ユニット２３１と、一方端は前記タブ２１５の上側に連結され、他方端は前記第２ドラム２３５に連結される第１連通管２４１と、該第１連通管２４１に配設され、前記タブ２１５内の空気を前記第２ドラム２３５に流入させる送風ファン２４５と、該送風ファン２４５を通過した空気を加熱させる加熱手段２４９と、一方端は前記第２ドラム２３５の上側に連結され、他方端は前記タブ２１５の下側に連結されることで、これを通して前記第２ドラム２３５内の空気が前記タブ２１５に流入される第２連通管２５１と、を包含して構成されている。
【００２３】
且つ、前記第２連通管２５１の下側には、該第２連通管２５１を開閉する空気流動弁２５３が装着され、該空気流動弁２５３は、前記制御ユニット５５と電気的に連結されている。
以下、このように構成された本発明に係るドラム型洗濯及び乾燥装置の第２実施形態の乾燥動作に対して説明する。
【００２４】
まず、乾燥動作が開始されると、前記制御ユニット５５は、前記第２連通管２５１が開放されるように、前記空気流動弁２５３を制御する。且つ、前記制御ユニット５５は、前記送風ファン２４５、加熱手段２４９、並びに第１及び第２ドラム２１７、２３５がそれぞれ駆動されるように制御する。次いで、前記送風ファン２４５が駆動されると、前記タブ２１５から空気が引出され、該引出された空気は、前記第１連通管２４１を通して流動されることで前記加熱手段２４９により加熱される。次いで、加熱された高温の空気は、前記第２ドラム２３５の内部で蒸発された水分を含有し、前記第２連通管２５１を通して流動することで、前記タブ２１５の内部に流入される。
【００２５】
次いで、このように前記タブ２１５に流入された空気は、該タブ２１５の内部の洗濯水と接触されながら回転する前記第１ドラム２１７と接触されることで、迅速に熱交換されながら凝縮されて水分が除去される。次いで、該水分が除去された低温の乾燥した空気は、前記第１連通管２４１を通して流動することで前記加熱手段２４９により加熱され、該加熱された高温の乾燥した空気は、前記第２ドラム２３５の内部に流入されて水分を含有し、前記第２ドラム２３５の外部に排出され、このような動作が繰り返して行われることで、乾燥行程が進行される。
【図面の簡単な説明】
【００２６】
【図１】本発明に係るドラム型洗濯及び乾燥装置の第１実施形態の構造を示した縦断面図である。
【図２】本発明に係るドラム型洗濯及び乾燥装置の第１実施形態の洗濯ユニットの構造を示した側断面図である。
【図３】本発明に係るドラム型洗濯及び乾燥装置の第１実施形態の乾燥ユニットの構造を示した側断面図である。
【図４】図１のVII -VII 線断面図である。
【図５】図１のVIII-VIII線断面図である。
【図６】本発明に係るドラム型洗濯及び乾燥装置の制御ブロック構成図である。
【図７】本発明に係るドラム型洗濯及び乾燥装置の第２実施形態を示した概略図である。
【図８】本発明に係るドラム型洗濯及び乾燥装置の第２実施形態を示した概略図である。
【図９】従来の洗濯機及び乾燥機を示した斜視図である。
【図１０】従来の洗濯機の構造を示した側断面図である。
【図１１】従来の乾燥機の構造を示した側断面図である。
【符号の説明】
【００２７】
１１…洗濯ユニット
１５…タブ
１７…第１ドラム
１９…第１駆動モータ
２５…排水管
２７…排水ポンプ
３１…乾燥ユニット
３５…第２ドラム
４１…第１連通管
４３…空気流動弁
４５…送風ファン
４７…第２駆動モータ
４９…ヒータ
５１…第２連通管
【図１】
2005124799.tif 000003
【図２】
2005124799.tif 000004
【図３】
2005124799.tif 000005
【図４】
2005124799.tif 000006
【図５】
2005124799.tif 000007
【図６】
2005124799.tif 000008
【図７】
2005124799.tif 000009
【図８】
2005124799.tif 000010
【図９】
2005124799.tif 000011
【図１０】
2005124799.tif 000012
【図１１】
2005124799.tif 000013